(57)【特許請求の範囲】
【請求項１】
絶縁塗膜を施したサドルに分水栓を固定したサドル付き分水栓であって、前記サドルの上面に形成したサドル支持部の内周側に座ぐり部を形成し、この座ぐり部が位置するサドル支持部に貫通孔をあけ、前記サドル支持部に分水栓のフランジを重ねてサドル支持部とフランジとを前記貫通孔を介して非接触状態で挿通したボルトにより固定すると共に、前記ボルト又はナットの外周と前記座ぐり部の内周面との間にスリーブ形状の絶縁体を介在させたことを特徴とするサドル付き分水栓。
【請求項２】
前記座ぐり部側より六角穴付きのボルトを前記貫通孔に非接触状態で挿通させ、前記ボルトのねじ部を前記フランジのめねじ部に螺合した請求項１に記載のサドル付き分水栓。
【請求項３】
前記スリーブ形状の絶縁体に筒部を形成し、前記貫通孔の内周面とボルトの外周面との間に前記筒部を介在させた請求項１又は２に記載のサドル付き分水栓。
【発明の詳細な説明】
【０００１】
【発明の属する技術分野】
本発明は、水道配管の本管から給水支管へ分岐配管を行なうためのサドル付き分水栓に関する。
【０００２】
【従来の技術】
通常、水道本管から給水支管を分岐させる場合、水道本管の分岐位置にサドルにより分水栓を取り付け、次いで、分水栓の取付口に固着した穿孔具で水道本管の分岐位置を穿孔し、この穿孔穴に防食スリーブを挿入した後に、取付口を被蓋すると共に、分水栓の止水機構を開放することにより分岐作業を完了する。
【０００３】
この分水栓とサドルを結合する方式には、フランジ式とねじ式とがあり、前者のフランジ式の場合は、青銅製或いはステンレス製等の材料で形成した分水栓のフランジと鋳鉄製のサドルの支持部とを重ねて、このフランジ部分をボルトまたはナットで挟み込んだり、または、ねじ止めによって結合し、一方、サドルの外周面には、樹脂粉体の塗膜を施して分水栓とサドルとの接触面における電気的導通を防いで、この部分での異種金属における電気的腐食が起きないようにしている。
【０００４】
【発明が解決しようとする課題】
しかしながら、例えば、青銅製の分水栓と鋳鉄製のサドルをステンレス製のボルトで挟み込んだり、或いは鋳鉄製のサドルにステンレス製のボルトをねじ込んで分水栓のフランジとサドルとを固定しているので、ボルトで結合した部位の異種金属間が、電気的に導通して異種金属間の電位差により、電位の低い卑な金属が腐食するおそれがあり、そのため、フランジ結合によるボルトの部位での電気的導通をなくす技術の開発が強く望まれていた。
【０００５】
本発明は上記の要望に鑑みて開発したものであり、その目的とするところは、サドル付き分水栓のフランジとサドルとを結合するボルト・ナットの結合部分を確実に絶縁することにより、異種金属間における電気的腐食を防止したサドル付き分水栓を提供することにある。
【０００６】
【課題を解決するための手段】
上記の目的を達成するため、請求項１に係る発明は、絶縁塗膜を施したサドルに分水栓を固定したサドル付き分水栓であって、前記サドルの上面に形成したサドル支持部の内周側に座ぐり部を形成し、この座ぐり部が位置するサドル支持部に貫通孔をあけ、前記サドル支持部に分水栓のフランジを重ねてサドル支持部とフランジとを前記貫通孔を介して非接触状態で挿通したボルトにより固定すると共に、前記ボルト又はナットの外周と前記座ぐり部の内周面との間にスリーブ形状の絶縁体を介在させたサドル付き分水栓である。
【０００７】
請求項２に係る発明は、前記座ぐり部側より六角穴付きのボルトを前記貫通孔に非接触状態で挿通させ、前記ボルトのねじ部を前記フランジのめねじ部に螺合したサドル付き分水栓である。
また、請求項３に係る発明は、前記スリーブ形状の絶縁体に筒部を形成し、前記貫通孔の内周面とボルトの外周面との間に前記筒部を介在させたサドル付き分水栓である。
【０００８】
【発明の実施の形態】
本発明におけるサドル付き分水栓の一実施形態を図１〜図４に従って具体的に説明する。
図１、２において、水道用の鋳鉄本管（水道用本管）１の分岐位置にサドル２とバンド３をボルト・ナット４で固定する。
このサドル２とバンド３は、鋳鉄材料で形成した外周面に、樹脂粉体の絶縁塗膜５を施している。
【０００９】
サドル２の上面に矩形状のサドル支持部６を設け、サドル支持部６の中央部に分水栓取付口７を形成している。
このサドル支持部６には、分水栓８を結合するためのボルト９のねじ部９ａの外径より径の大きい貫通孔１０を、本例において等間隔で4個形成している。
【００１０】
また、図２において、分水栓８の下部に形成した矩形状のフランジ１１をサドル支持部６の上面に重ねて取付け、貫通孔１０を形成したサドル支持部６の内周側に形成した座ぐり部１２側より六角穴付きのボルト９を貫通孔１０に非接触状態で挿通させ、かつボルト９のねじ部９ａをフランジ１１のめねじ１１ａに螺合して固定する。
【００１１】
この場合、ボルト９のねじ部９ａの外周と貫通孔１０の内周面とは、非接触状態であると共に、図４に示すように、座金１３を有するボルト９とサドル支持部６の内周側とは、挿通穴１４ａを有する樹脂製のスリーブ形状の絶縁体１４を介在させて、サドル２とボルト９とを、電気的に絶縁状態にしている。
【００１２】
この絶縁体は、図４に示した絶縁体１４の実施形態以外に、図５に示すような、筒部１５ａを有する樹脂製絶縁体１５であっても良く、この場合は、貫通孔１０の内周面とボルト９の外周面との間も同時に絶縁を行うことができる。また、その他、この絶縁体は、扁平リング形状の絶縁リング又は割りリング形状の絶縁リング等の絶縁体であっても良く、これらの絶縁体を適宜に選択して実施するものとする。
【００１３】
また、図１及び図２において、１６は止水機構１７の環状保持体（ボデー用キャップ）１８の下面に装着した樹脂製の環状の絶縁カバーであり、この絶縁カバー１６は、水道用本管１の穿孔穴１９を穿孔具（図示しない）によって穿孔する際、この穿孔穴１９より出る切削粉等が環状保持体１８の下面スペースに装入した場合の電気的導通を防止して、この部位での電気的腐食が起きないようにしたものである。
【００１４】
また、止水機構１７は、三方口２０ａを有するボール２０をステム２１を介して分水栓８の内部に回転自在に設けられ、更に、分水栓８には、穿孔具を取付ける取付口２２と継手部２３を有する分岐口２４を設けている。
なお、図中、２５はボールシート、２６は防食スリーブ、２７はガスケット、２８はキャップである。
【００１５】
次に、上記の実施形態の作用を説明する。
分水栓８のフランジ１１をサドル支持部６に重ねてボルト９で結合した場合、サドル２の外周面は、樹脂粉体等の絶縁塗膜５を施しているので、フランジ１１とサドル支持部６の外周面とは、電気的に導通することなく絶縁されており、また、ボルト９のねじ部９ａは、サドル支持部６の貫通孔１０に非接触状態で挿通され、しかも、ボルト９とサドル２の間を絶縁体１４又は絶縁体１５で絶縁状態に結合されている。従って、例えば、鋳鉄製のサドル２とステンレス製の分水栓８とステンレス製のボルト９との間で異種金属により電位差があっても、ボルト９とサドル２間、及びサドル２とフランジ１１間とが確実に絶縁されて電気的腐食が起きるおそれはない。
【００１６】
この場合、各部材の異種金属の材料は、上記の材料に限定されることなく、各種の異種金属の材料に応用することができる。
【００１７】
また、図６及び図７は、サドル２の支持部６と分水栓８のフランジ１１とを結合する他の実施形態を示した部分断面図である。
図６及び図７において、分水栓８のフランジ１１側の孔も貫通孔２９とし、この貫通孔２９も貫通孔１０と同様に、ボルト３０のねじ部３０ａの外径より径を大きく形成してボルト３０のねじ部３０ａと貫通孔２９の内周面を非接触状態にしている。
【００１８】
図６は、座ぐり部１２側よりボルト３０を挿通してナット３１で固定した例であり、図７は、フランジ１１側よりボルト３０を挿通してナット３１で固定した例であり、この場合も、絶縁体１４又は絶縁体１５を介在させて、電気的に導通しないようにして電気的腐食を防止している。
図６及び図７に示した例は、例えば、青銅製又はステンレス製の分水栓８と鋳鉄製のサドル２との異種金属間の結合をステンレス製のボルト３０とナット３１で固定する場合に適している。
【００１９】
【発明の効果】
以上のことから明らかなように、本発明によると、分水栓のフランジとサドルとを結合するボルト・ナットの結合部分を確実に絶縁することができるため、分水栓とサドルとの異種金属間における電気的腐食を確実に防止することができる等の優れた効果を有する。
【図面の簡単な説明】
【図１】本発明におけるサドル付き分水栓の一実施形態を示した縦断面図である。
【図２】図１のボルト結合部分を示した一部切り欠き部分断面図である。
【図３】図１の平面図である。
【図４】本発明における絶縁体の一例を示した断面図である。
【図５】本発明における絶縁体の他例を示した断面図である。
【図６】本発明における分水栓のフランジとサドルの結合状態の他例を示す部分断面図である。
【図７】本発明における分水栓のフランジとサドルの結合状態の他例を示す部分断面図である。
【符号の説明】
２  サドル
５  絶縁塗膜
６  サドル支持部
８  分水栓
９  ボルト
９ａ  ねじ部
１０  貫通孔
１１  フランジ
１４、１５  絶縁体
２９  貫通孔
３０  ボルト
３０ａ  ねじ部
３１  ナット
【図１】
0003710625.tif 000002
【図２】
0003710625.tif 000003
【図３】
0003710625.tif 000004
【図４】
0003710625.tif 000005
【図５】
0003710625.tif 000006
【図６】
0003710625.tif 000007
【図７】
0003710625.tif 000008